(57)【要約】【課題】視覚的な見通しや会話の声が必要以上に遮られることを抑制して開放感を演出できる、飛沫防止パネルを提供する。【解決手段】飛沫防止パネル１０は、パネル本体１８と第１支持部２０と第２支持部２２とを備えている。パネル本体１８は、その両面がテーブル面１６に対して垂直となるように、第１支持部２０および第２支持部２２を介してテーブル面１６に設けられている。パネル本体１８は、平面視でテーブル面１６と重なる第１部分２４と、平面視でテーブル面１６から外側へはみ出す第２部分２６とを有しており、第１部分２４の高さは、手前側から奧側へ向けて低くなるように定められている。第１部分２４の上端縁２４ａは、上側へ向けて膨らむ曲線状に形成されており、第１部分２４の下端縁２４ｂは、テーブル面１６に沿うように直線状に形成されており、第２部分２６の外周縁２６ａは、使用者Ｍから見て後方へ向けて膨らむ曲線状に形成されている。【選択図】図２
0003232202.tif 000002
【実用新案登録請求の範囲】
【請求項１】
テーブルの周囲に着座した使用者から放出された飛沫の拡散を防止する飛沫防止パネルであって、
透明材料で形成され、その両面が前記テーブルのテーブル面に対して垂直となるように前記テーブル面に設けられる板状のパネル本体と、
前記テーブルの周縁部に取り付けられ、前記パネル本体を支持する第１支持部とを備え、
前記パネル本体は、平面視で前記テーブル面と重なる第１部分を有しており、
前記第１部分の高さは、使用者から見て手前側から奧側へ向けて低くなるように定められている、飛沫防止パネル。
【請求項２】
前記第１部分の手前側の端部の高さは、使用者の目の高さよりも高くなるように定められている、請求項１に記載の飛沫防止パネル。
【請求項３】
前記パネル本体は、平面視で前記テーブル面から外側へはみ出す第２部分を有しており、
前記第２部分の外周縁は、使用者から見て後方へ向けて膨らむ曲線状に形成されている、請求項１または２に記載の飛沫防止パネル。
【請求項４】
前記第１部分の上端縁は、上側へ向けて膨らむ曲線状に形成されており、
前記第１部分の下端縁は、前記テーブル面に沿うように直線状に形成されており、
前記第１部分の上端縁および下端縁と前記第２部分の外周縁とは、滑らかに繋げられている、請求項３に記載の飛沫防止パネル。
【請求項５】
前記第１支持部は、前記パネル本体が上方から挿し込まれる第１溝が形成された上下方向へ延びる円柱状の第１支柱と、前記第１支柱の下端部に設けられ、前記テーブルの周縁部を厚さ方向から挟むクランプ部とを有する、請求項１ないし４のいずれか１項に記載の飛沫防止パネル。
【請求項６】
前記第１部分の奧側の端部を支持する第２支持部を備え、
前記第２支持部は、前記パネル本体が上方から挿し込まれる第２溝が形成された上下方向へ延びる円柱状の第２支柱と、前記第２支柱の下端部に設けられ、前記テーブル面に載置される円板状の基部とを有する、請求項５に記載の飛沫防止パネル。
【請求項７】
前記第２支柱の長さは、前記第１支柱の長さよりも短く定められている、請求項６に記載の飛沫防止パネル。
【請求項８】
前記第１部分の奧側の端部は、自由状態で前記テーブル面に直接載置される、請求項１ないし５のいずれか１項に記載の飛沫防止パネル。
【考案の詳細な説明】
【技術分野】
【０００１】
本考案は、テーブルの周囲に着座した使用者から放出された飛沫の拡散を防止する飛沫防止パネルに関する。
【背景技術】
【０００２】
下記特許文献１には、従来の飛沫防止パネルの一例である卓上パーテーションが開示されている。この卓上パーテーションは、透明な板材で矩形平板形状に形成された衝立パネルと、衝立パネルを支持する第１スタンドおよび第２スタンドとを備えている。卓の周囲に着座した使用者から見たとき、衝立パネルの手前側の端部は、第１スタンドで支持されており、衝立パネルの奧側の端部は、第２スタンドで支持されている。第１スタンドは、衝立パネルが上方から嵌め込まれる第１溝を有しており、クランプ部を介して卓を構成する天板の手前側端部に固定されている。第２スタンドは、衝立パネルが上方から嵌め込まれる第２溝を有しており、卓を構成する天板の上面に載置されている。
【先行技術文献】
【特許文献】
【０００３】
【特許文献１】実用新案登録第３２２９９８８号公報
【０００４】
しかしながら、特許文献１の卓上パーテーションでは、矩形平板形状に形成された衝立パネルの高さが、手前側から奧側へ向かう方向すなわち長さ方向の全長にわたって一定であるため、使用者から遠く離れた衝立パネルの奧側の端部では、飛沫拡散対策が過剰になっていた。そのため、卓上パーテーションを結婚式会場の会食テーブルなどに使用した場合には、衝立パネルによって、視覚的な見通しが必要以上に遮られるだけでなく、対向者どうしの会話の声が必要以上に遮られるおそれがあり、開放感を演出することが困難であるという問題があった。
【考案の概要】
【０００５】
本考案は上記問題に対処するためになされたものであり、視覚的な見通しや会話の声が必要以上に遮られることを抑制して開放感を演出できる、飛沫防止パネルを提供することにある。
【０００６】
上記目的を達成するため、本考案に係る飛沫防止パネルの特徴は、テーブルの周囲に着座した使用者から放出された飛沫の拡散を防止する飛沫防止パネルであって、透明材料で形成され、その両面が前記テーブルのテーブル面に対して垂直となるように前記テーブル面に設けられる板状のパネル本体と、前記テーブルの周縁部に取り付けられ、前記パネル本体を支持する第１支持部とを備え、前記パネル本体は、平面視で前記テーブル面と重なる第１部分を有しており、前記第１部分の高さは、使用者から見て手前側から奧側へ向けて低くなるように定められていることにある。
【０００７】
この構成では、第１部分の高さが、使用者から見て手前側から奧側へ向けて低くなるように定められているので、パネル本体の奧側の端部では、視覚的な見通しが必要以上に遮られることがなく、また、対向者どうしの会話の声が必要以上に遮られることもない。したがって、飛沫防止パネルを結婚式会場の会食テーブルなどに使用する場合に開放感を演出することができる。
【０００８】
本考案に係る飛沫防止パネルの他の特徴は、前記第１部分の手前側の端部の高さは、使用者の目の高さよりも高くなるように定められていることにある。
【０００９】
この構成では、第１部分の手前側の端部の高さが使用者の目の高さよりも高いので、互いに隣り合う使用者どうしは、パネル本体を通して相手を見ることができ、飛沫拡散の問題に対して安心感を得ることができる。
【００１０】
本考案に係る飛沫防止パネルの他の特徴は、前記パネル本体は、平面視で前記テーブル面から外側へはみ出す第２部分を有しており、前記第２部分の外周縁は、使用者から見て後方へ向けて膨らむ曲線状に形成されていることにある。
【００１１】
この構成では、パネル本体が平面視でテーブル面から外側へはみ出す第２部分を有しているので、第２部分によっても飛沫拡散を防止できる。また、第２部分の外周縁は、使用者から見て後方へ向けて膨らむ曲線状に形成されているので、使用者の衣服などが第２部分に引っ掛かることを防止できる。また、飛沫防止パネルを会食テーブルに用いた場合には、テーブル付近を頻繁に行き来するウエイターやウエイトレスの衣服などが第２部分に引っ掛かることを防止できる。
【００１２】
本考案に係る飛沫防止パネルの他の特徴は、前記第１部分の上端縁は、上側へ向けて膨らむ曲線状に形成されており、前記第１部分の下端縁は、前記テーブル面に沿うように直線状に形成されており、前記第１部分の上端縁および下端縁と前記第２部分の外周縁とは、滑らかに繋げられていることにある。
【００１３】
この構成では、パネル本体の全体が、花びら形状（またはドロップ形状）に形成されているので、複数の飛沫防止パネルを結婚式会場の会食テーブルなどに使用する場合には、パネル本体の花びら形状と装花とが融合して、テーブル全体で花が開くような開放感のあるデザインを作り出すことができる。
【００１４】
本考案に係る飛沫防止パネルの他の特徴は、前記第１支持部は、前記パネル本体が上方から挿し込まれる第１溝が形成された上下方へ延びる円柱状の第１支柱と、前記第１支柱の下端部に設けられ、前記テーブルの周縁部を厚さ方向から挟むクランプ部とを有することにある。
【００１５】
パネル本体の第１部分の高さは、使用者から見て手前側から奧側へ向けて低くなるように定められているので、第１部分の重心位置は、その長さ方向の中央部よりも手前側に偏っている。上記構成では、第１部分の重心位置に近い側の端部、すなわち第１部分の手前側の端部を第１支柱およびクランプ部を介してテーブルの周縁部に固定することができるので、パネル本体の位置ずれを効果的に抑制できる。また、第１支柱は円柱状に形成されているため、第１支柱の外周面がパネル本体やテーブル面に当たった場合でも、パネル本体やテーブル面は傷つき難い。
【００１６】
本考案に係る飛沫防止パネルの他の特徴は、前記第１部分の奧側の端部を支持する第２支持部を備え、前記第２支持部は、前記パネル本体が上方から挿し込まれる第２溝が形成された上下方向へ延びる円柱状の第２支柱と、前記第２支柱の下端部に設けられ、前記テーブル面に載置される円板状の基部とを有することにある。
【００１７】
この構成では、第１支持部および第２支持部によって、パネル本体を安定して支持できる。また、第２支柱は円柱状に形成されており、基部は円板状に形成されているため、これらの外周面がパネル本体やテーブル面に当たった場合でも、パネル本体やテーブル面は傷つき難い。
【００１８】
本考案に係る飛沫防止パネルの他の特徴は、前記第２支柱の長さは、前記第１支柱の長さよりも短く定められていることにある。
【００１９】
この構成では、第２支柱の長さは、第１支柱の長さよりも短く定められているので、第２支柱は目立ち難くなっており、第２支柱で視覚的な見通しが遮られることを抑制できる。
【００２０】
本考案に係る飛沫防止パネルの他の特徴は、前記第１部分の奧側の端部は、自由状態で前記テーブル面に直接載置されることにある。
【００２１】
この構成では、第１部分の奧側の端部は、自由状態でテーブル面に直接載置される。つまり、第１部分の奧側の端部を支持する第２支持部は存在しない。したがって、第１部分の奧側の端部すなわちパネル本体の奧側の端部における視覚的な見通しをよくすることができる。
【図面の簡単な説明】
【００２２】
【図１】第１実施形態に係る飛沫防止パネルの使用状態を示す斜視図である。
【図２】第１実施形態に係る飛沫防止パネルの構成を示す正面図である。
【図３】第１支持部の構成を示す斜視図である。
【図４】第１支持部の構成を示す図であり、（Ａ）は平面図、（Ｂ）は正面図、（Ｃ）は底面図である。
【図５】第１支持部の構成を示す分解斜視図である。
【図６】第２支持部の構成を示す斜視図である。
【図７】第２実施形態に係る飛沫防止パネルの構成を示す正面図である。
【考案を実施するための形態】
【００２３】
以下、本考案に係る飛沫防止パネルの実施形態について、図面を参照しながら説明する。
【００２４】
（飛沫防止パネルの構成）
図１は、実施形態に係る飛沫防止パネル１０の使用状態を示す斜視図である。図２は、実施形態に係る飛沫防止パネル１０の構成を示す正面図である。なお、以下の説明で用いる「上・下・左・右・手前・奧」の各方向は、使用者Ｍから見た方向であり、図２、図３および図５において矢印で示す各方向と一致する。
【００２５】
図１に示す飛沫防止パネル１０は、ウイルスの飛沫感染対策として、テーブル１２の周囲に着座する使用者Ｍどうしを隔離する飛沫防止具である。本実施形態のテーブル１２は、結婚式会場などで使用される会食用テーブルであり、平面視で円形の板状の天板１４と、天板１４を支持する少なくとも１つの脚部（図示省略）とを備えている。
【００２６】
本実施形態では、天板１４の直径が、１４０ｃｍ〜１８０ｃｍの範囲内に定められている。また、天板１４の上面すなわちテーブル面１６の高さが、７０ｃｍ〜８０ｃｍの範囲内に定められている。なお、これらのサイズは、本実施形態に限定されるものではなく、適宜変更されてもよい。
【００２７】
図１に示すように、本実施形態では、テーブル１２の周囲に４人の使用者Ｍが着座することを想定して、テーブル面１６には、隣り合う使用者Ｍどうしを隔離するために４つの飛沫防止パネル１０が設けられている。
【００２８】
図２に示すように、各飛沫防止パネル１０は、パネル本体１８と、第１支持部２０と、第２支持部２２とを備えている。
【００２９】
パネル本体１８は、その一方面１８ａおよび他方面１８ｂがテーブル面１６に対して垂直となるようにテーブル面１６に設けられる板状の部材であり、ポリカーボネイトからなる透明な板材を切断することによって形成されている。パネル本体１８は、平面視でテーブル面１６と重なる第１部分２４と、平面視でテーブル面１６から外側へはみ出す第２部分２６とを有している。第１部分２４の高さは、使用者Ｍから見て手前側から奧側へ向けて低くなるように定められており、第１部分２４の手前側の端部２８ａの高さＨ１は、使用者Ｍの目Ｐの高さＨ２よりも高く定められている。
【００３０】
図２に示すように、第１部分２４の上端縁２４ａは、上側へ向けて膨らむ曲線状に形成されており、第１部分２４の下端縁２４ｂは、テーブル面１６に沿うように直線状に形成されている。第２部分２６の外周縁２６ａは、使用者Ｍから見て後方へ向けて膨らむ曲線状（本実施形態では円弧状）に形成されている。そして、第１部分２４の上端縁２４ａおよび下端縁２４ｂと第２部分２６の外周縁２６ａとが滑らかに繋げられている。これにより、パネル本体１８を正面から見たときの形状は、花びら形状（またはドロップ形状）となる。
【００３１】
本実施形態では、パネル本体１８の手前側から奧側へ向かう方向の長さが、９０ｃｍに定められている。また、第１部分２４の手前側の端部２８ａの高さＨ１、すなわちパネル本体１８の最高の高さが、５５ｃｍに定められている。そして、パネル本体１８の厚さが、２ｍｍ〜１０ｍｍの範囲内に定められている。なお、これらのサイズは、本実施形態に限定されるものではなく、適宜変更されてもよい。また、ポリカーボネイトは、衝撃に強く、透明度が高く、燃え難いといった長所を有することから、パネル本体１８の材料に適しているが、ポリカーボネイトに代えて、アクリルなどの他の材料が用いられてもよい。
【００３２】
図３は、第１支持部２０の構成を示す斜視図である。図４は、第１支持部２０の構成を示す図であり、（Ａ）は平面図、（Ｂ）は正面図、（Ｃ）は底面図である。図５は、第１支持部２０の構成を示す分解斜視図である。図６は、第２支持部２２の構成を示す斜視図である。
【００３３】
図２に示すように、第１支持部２０は、テーブル１２の周縁部に取り付けられて、パネル本体１８を支持する部材である。パネル本体１８は、上記の第１部分２４を有しており、テーブル１２の周縁部には、第１部分２４の手前側の端部２８ａが配置されている。したがって、テーブル１２の周縁部に取り付けられた第１支持部２０は、第１部分２４の手前側の端部２８ａを支持することになる。
【００３４】
図３および図４に示すように、第１支持部２０は、上下方向へ延びる円柱状の第１支柱３０と、第１支柱３０の下端部に設けられ、テーブル１２の周縁部すなわち天板１４の周縁部１４ａ（図２）を厚さ方向から挟むクランプ部３２とを有している。
【００３５】
図５に示すように、第１支柱３０は、アルミニウムなどの金属で形成された円柱状の本体部３４と、フエルトなどの柔軟な材料で形成されたシート状の緩衝材３６とを有している。本体部３４の径方向中央部には、パネル本体１８（図２）が上方から嵌め込まれる第１溝３８が上方へ開いて形成されており、本体部３４の底部には、２つのねじ孔４０ａ，４０ｂが、第１溝３８を径方向から挟むように形成されている。第１溝３８の幅は、パネル本体１８（図２）の厚さよりもわずかに広く定められている。第１溝３８にパネル本体１８を嵌め込む際には、二つ折りにされた緩衝材３６がパネル本体１８の両面１８ａ，１８ｂ（図２）に配置され、この緩衝材３６とパネル本体１８とが一体となって、第１溝３８に上方から嵌め込まれる。
【００３６】
図５に示すように、クランプ部３２は、基体４２と、緩衝プレート４４と、雌ねじ部材４６と、雄ねじ部材４８とを有している。
【００３７】
基体４２は、互いに対向する上側プレート４２ａおよび下側プレート４２ｂと、これらを連結する連結プレート４２ｃとを有しており、ステンレスなどの金属で一体に形成されている。上側プレート４２ａおよび下側プレート４２ｂは、平面視で四角形の板状に形成されており、上側プレート４２ａの先端部の２つの角部は、平面視で曲線状に丸められている。連結プレート４２ｃは、上側プレート４２ａおよび下側プレート４２ｂの互いに対向する側縁どうしを連結するように四角形の板状に形成されている。そして、上側プレート４２ａには、第１支柱３０の２つのねじ孔４０ａ，４０ｂに対応する２つの貫通孔５０ａ，５０ｂが形成されており、下側プレート４２ｂには、雄ねじ部材４８が挿通される貫通孔５２が形成されている。
【００３８】
緩衝プレート４４は、基体４２を構成する上側プレート４２ａの下面に配置されて、天板１４の上面すなわちテーブル面１６に押し当てられる板状の部材であり、ポリアセタールなどの合成樹脂で形成されている。本実施形態では、上側プレート４２ａの先端部の２つの角部が平面視で曲線状に丸められているため、緩衝プレート４４は、これらの角部からはみ出すことがないように、四角形の板材の２つの角部を斜めに切除した形状（六角形）に形成されている。また、緩衝プレート４４には、第１支柱３０の２つのねじ孔４０ａ，４０ｂに対応する２つの貫通孔５４ａ，５４ｂが形成されている。
【００３９】
そして、２つの雄ねじ部材５６ａ，５６ｂが、緩衝プレート４４の貫通孔５４ａ，５４ｂおよび基体４２の貫通孔５０ａ，５０ｂに挿通されて、第１支柱３０のねじ孔４０ａ，４０ｂに螺合されている。これにより、第１支柱３０および緩衝プレート４４が基体４２に取り付けられている。
【００４０】
雌ねじ部材４６は、その中央部を上下方向へ貫通するねじ孔５８を有する円柱状の部材である。雌ねじ部材４６は、そのねじ孔５８が基体４２の貫通孔５２に連通するように、基体４２を構成する下側プレート４２ｂの下面に接合されている。なお、下側プレート４２ｂに対する雌ねじ部材４６の接合方法は、特に限定されるものではなく、溶接、接着および嵌合などの接合手段を適宜選択して用いることができる。
【００４１】
雄ねじ部材４８は、雌ねじ部材４６のねじ孔５８に螺合される雄ねじ部６０と、雄ねじ部６０の上端部に設けられた六角形の頭部６２と、頭部６２の上面に接合された緩衝部材６４とを有している。緩衝部材６４は、天板１４の下面に押し当てられる部分であり、ポリアセタールなどの合成樹脂で形成されている。本実施形態の緩衝部材６４は、スパナなどの工具で挟むための平行な２つの面６６ａ，６６ｂを有している。そして、雄ねじ部材４８の雄ねじ部６０が、基体４２の貫通孔５２に上方から挿通されて、雌ねじ部材４６のねじ孔５８に螺合されることによって、雄ねじ部材４８が基体４２に取り付けられている。
【００４２】
図４（Ｂ）に示すように、緩衝プレート４４の下面４４ａと雄ねじ部材４８の上面４８ａとの間隔Ｌは、ねじ孔５８に対する雄ねじ部６０のねじ込み量を変えることによって調整可能である。本実施形態では、間隔Ｌを２０ｍｍ〜３４ｍｍの範囲で調整できるように雄ねじ部６０の長さなどが定められている。つまり、第１支持部２０は、天板１４の周縁部１４ａ（図２）の厚さが２０ｍｍ〜３４ｍｍの範囲内であるテーブル１２に使用することができる。
【００４３】
図２に示すように、第２支持部２２は、テーブル面１６に載置されて、パネル本体１８における第１部分２４の奧側の端部２８ｂを支持する部材である。図６に示すように、第２支持部２２は、上下方向へ延びる円柱状の第２支柱７０と、第２支柱７０の下端部に設けられ、テーブル面１６に載置される円板状の基部７２とを有している。第２支柱７０の長さは、第１支持部２０の第１支柱３０の長さよりも短く定められており、これにより、第２支柱７０は目立ち難くなっている。
【００４４】
第２支柱７０は、アルミニウムなどの金属で形成された円柱状の本体部７１と、フエルトなどの柔軟な材料で形成されたシート状の緩衝材７５とを有している。本体部７１の径方向中央部には、パネル本体１８（図２）が上方から嵌め込まれる第２溝７４が上方へ開いて形成されている。第２溝７４の幅は、パネル本体１８（図２）の厚さよりもわずかに広く定められている。基部７２は、アルミニウムなどの金属で形成されている。第２溝７４にパネル本体１８を嵌め込む際には、二つ折りにされた緩衝材７５がパネル本体１８の両面１８ａ，１８ｂ（図２）に配置され、この緩衝材７５とパネル本体１８とが一体となって、第２溝７４に上方から嵌め込まれる。
【００４５】
図１に示すように、本実施形態では、４つの飛沫防止パネル１０が、テーブル面１６の中央部から外側へ向けて９０度の角度間隔で放射状に延びるように設けられている。そして、テーブル面１６の中央部における４つの飛沫防止パネル１０で囲まれた領域には、装花７６が置かれている。
【００４６】
（飛沫防止パネルの効果）
本実施形態によれば、上記構成により以下の各効果を奏することができる。すなわち、図２に示すように、第１部分２４の高さが、使用者Ｍから見て手前側から奧側へ向けて低くなるように定められているので、パネル本体１８の奧側の端部では、視覚的な見通しが必要以上に遮られることがなく、また、対向者どうしの会話の声が必要以上に遮られることもない。したがって、飛沫防止パネル１０を結婚式会場の会食テーブル１２などに使用する場合に開放感を演出することができる。
【００４７】
図２に示すように、第１部分２４の手前側の端部２８ａの高さＨ１が使用者Ｍの目Ｐの高さＨ２よりも高いので、互いに隣り合う使用者Ｍどうしは、パネル本体１８を通して相手を見ることができ、飛沫拡散の問題に対して安心感を得ることができる。
【００４８】
図２に示すように、パネル本体１８が平面視でテーブル面１６から外側へはみ出す第２部分２６を有しているので、第２部分２６によっても飛沫拡散を防止できる。また、第２部分２６の外周縁２６ａは、使用者Ｍから見て後方へ向けて膨らむ曲線状に形成されているので、使用者Ｍの衣服などが第２部分２６に引っ掛かることを防止できる。また、テーブル１２付近を頻繁に行き来するウエイターやウエイトレスの衣服などが第２部分２６に引っ掛かることを防止できる。
【００４９】
図２に示すように、第１部分２４の上端縁２４ａは、上側へ向けて膨らむ曲線状に形成されており、第１部分２４の下端縁２４ｂは、テーブル面１６に沿うように直線状に形成されており、第２部分２６の外周縁２６ａは、使用者Ｍから見て後方へ向けて膨らむ曲線状に形成されている。そして、第１部分２４の上端縁２４ａおよび下端縁２４ｂと第２部分２６の外周縁２６ａとは、滑らかに繋げられている。つまり、パネル本体１８の全体は、花びら形状（またはドロップ形状）に形成されている。したがって、図１に示すように、複数の飛沫防止パネル１０を結婚式会場の会食テーブル１２に使用する場合には、パネル本体１８の花びら形状と装花７６とが融合して、テーブルの全体で花が開くような開放感のあるデザインを作り出すことができる。
【００５０】
図２に示すように、パネル本体１８の第１部分２４の高さは、使用者から見て手前側から奧側へ向けて低くなるように定められているので、第１部分２４の重心位置は、その長さ方向の中央部よりも手前側に偏っている。本実施形態の第１支持部２０は、第１部分２４の重心位置に近い側の端部、すなわち第１部分２４の手前側の端部２８ａを第１支柱３０およびクランプ部３２を介してテーブル１２の周縁部すなわち天板１４の周縁部１４ａ（図２）に固定することができるので、パネル本体１８の位置ずれを効果的に抑制できる。
【００５１】
図３に示す第１支持部２０の第１支柱３０は円柱状に形成されているため、第１支柱３０の外周面がパネル本体１８やテーブル面１６に当たった場合でも、パネル本体１８やテーブル面１６は傷つき難い。
【００５２】
図２に示すように、第１支持部２０および第２支持部２２によって、パネル本体１８を安定して支持できる。また、第２支持部２２の第２支柱７０は円柱状に形成されており、第２支持部２２の基部７２は円板状に形成されているため、これらの外周面がパネル本体１８やテーブル面１６に当たった場合でも、パネル本体１８やテーブル面１６は傷つき難い。
【００５３】
図６に示す第２支持部２２を構成する第２支柱７０の長さは、図３に示す第１支持部２０を構成する第１支柱３０の長さよりも短く定められているので、第２支柱７０は目立ち難くなっており、第２支柱７０で視覚的な見通しが遮られることを抑制できる。
【００５４】
（変形例）
なお、本考案の実施にあたっては、上記実施形態に限定されず、本考案の目的を逸脱しない限りにおいて種々の変更が可能である。例えば、上記実施形態では、図１に示すテーブル１２の天板１４が平面視で円形に形成されているが、この天板１４は平面視で楕円形、四角形、五角形、六角形および異形などに形成されてもよい。また、飛沫防止パネル１０が取り付けられるテーブル１２の種類は、会食用テーブルに限定されるものではなく、会議用テーブルや事務用テーブルなどでもよい。
【００５５】
上記実施形態では、図１に示すテーブル１２に対して４つの飛沫防止パネル１０が用いられているが、飛沫防止パネル１０の数は、使用者Ｍの数に応じて適宜変更可能であり、例えば、使用者Ｍの数が２人の場合には、飛沫防止パネル１０は、１つだけ設けられてもよい。
【００５６】
上記実施形態では、図２に示すパネル本体１８が、平面視でテーブル面１６から外側へはみ出す第２部分２６を有しているが、この第２部分２６は省略されてもよい。また、パネル本体１８を構成する第１部分２４の上端縁２４ａは、奧側へ向かって低くなるように傾斜する直線状に形成されてもよい。
【００５７】
図７は、第２実施形態に係る飛沫防止パネル８０の構成を示す正面図である。上記実施形態では、パネル本体１８を構成する第１部分２４の奧側の端部２８ｂが第２支持部２２で支持されているが、図７に示す飛沫防止パネル８０のように、奧側の端部２８ｂは、自由状態でテーブル面１６に直接載置されてもよい。この場合には、第２支持部２２を省略できるので、パネル本体１８の奧側の端部における視覚的な見通しをよくすることができる。
【符号の説明】
【００５８】
Ｍ…使用者、１０…飛沫防止パネル、１２…テーブル、１４…天板、１６…テーブル面、１８…パネル本体、２０…第１支持部、２２…第２支持部、２４…第１部分、２６…第２部分、２８ａ…手前側の端部、２８ｂ…奧側の端部、７４…第２溝、７６…装花。
【図１】
0003232202.tif 000003
【図２】
0003232202.tif 000004
【図３】
0003232202.tif 000005
【図４】
0003232202.tif 000006
【図５】
0003232202.tif 000007
【図６】
0003232202.tif 000008
【図７】
0003232202.tif 000009